(57)【要約】【課題】  溶接作業中にコンピュータと対話するためのシステム、方法、及び装置を提供する。【解決手段】  溶接作業中にコンピュータと対話するためのシステム、方法、及び装置の実施形態が提供される。一実施形態において、溶接ツールが提供される。溶接ツールは、ハンドル、ネック、及び選択インターフェースを有するエアマウスデバイスを含む。溶接ツールは、溶接機に動作可能に接続され、母材に対して溶接作業を行うために作業者によって用いられるよう構成される。また、エアマウスデバイスは、溶接機に動作可能に接続されるコンピュータと無線通信するよう構成される。エアマウスデバイスは、作業者が溶接ツールを空中で移動させることによって、コンピュータによってディスプレイモニタ上に表示されるようなオプションアイコン上にコンピュータカーソルを位置決めすることを可能にする。更に、エアマウスデバイスは、作業者がエアマウスデバイスの選択インターフェースを噛み合わせることによってオプションアイコンを選択することを可能にする。【選択図】図１
2020131291.tif 000002
【特許請求の範囲】
【請求項１】
溶接ツールであって、
ハンドルと、
ネックと、
選択インターフェースを有するエアマウスデバイスと、を備え、
前記溶接ツールは、溶接機に動作可能に接続され、母材に対して溶接作業を行うために作業者によって用いられるよう構成され、
前記エアマウスデバイスは、前記溶接機に動作可能に接続されるコンピュータと無線通信して、
前記作業者が前記溶接ツールを空中で移動させることによって、前記コンピュータによってディスプレイモニタ上に表示されるようなオプションアイコン上にコンピュータカーソルを位置決めすることを可能にし、
前記作業者が前記エアマウスデバイスの前記選択インターフェースを噛み合わせることによって前記オプションアイコンを選択することを可能にするよう構成される、
溶接ツール。
【請求項２】
前記エアマウスデバイスは前記溶接ツールの一体部分である、請求項１に記載の溶接ツール。
【請求項３】
前記エアマウスデバイスは、前記溶接ツールの前記ハンドル又は前記ネックの少なくとも１つから着脱自在であるよう構成される、請求項１に記載の溶接ツール。
【請求項４】
前記エアマウスデバイスは慣性に基づくエアマウスデバイスとして構成される、請求項１に記載の溶接ツール。
【請求項５】
前記エアマウスデバイスは光学に基づくエアマウスデバイスとして構成される、請求項１に記載の溶接ツール。
【請求項６】
前記溶接ツールはアーク溶接ツールであって、更に、
トリガアセンブリと、
ノズルと、
導電アセンブリと、
コンタクトチップと、を備える、
請求項１に記載の溶接ツール。
【請求項７】
溶接システムであって、
溶接作業中に溶接出力電力を提供するよう構成される溶接機と、
前記溶接機に動作可能に接続されて前記溶接機と通信するコンピュータであって、溶接ソフトウェアプログラムを実行するよう構成されるコンピュータと、
前記コンピュータに動作可能に接続され、前記コンピュータによって実行される場合に前記溶接ソフトウェアプログラムによって生成される画面を表示するよう構成されるディスプレイモニタと、
前記溶接機に動作可能に接続され、母材に対して前記溶接作業を行うために作業者によって用いられるよう構成される溶接ツールと、を備え、
前記溶接ツールは、前記コンピュータと無線通信して、前記作業者が前記溶接ツールを空中で動かすことによって、前記コンピュータによって前記ディスプレイモニタに表示されるコンピュータカーソルを位置決めすることを可能にするよう構成されるエアマウスデバイスを有し、
前記エアマウスデバイスは、前記作業者が前記ディスプレイモニタ上に前記画面の一部として表示されるオプションアイコン上に前記コンピュータカーソルを位置決めし、前記オプションアイコンを選択することを可能にするよう構成される、
溶接システム。
【請求項８】
前記エアマウスデバイスは前記溶接ツールの一体部分である、請求項７に記載の溶接システム。
【請求項９】
前記エアマウスデバイスは、前記溶接ツールに着脱自在であるよう構成される、請求項７に記載の溶接システム。
【請求項１０】
前記エアマウスデバイスは慣性に基づくエアマウスデバイスとして構成される、請求項７に記載の溶接システム。
【請求項１１】
前記エアマウスデバイスは光学に基づくエアマウスデバイスとして構成される、請求項７に記載の溶接システム。
【請求項１２】
前記溶接機はユーザインターフェースを含み、前記コンピュータは、前記インターフェースを用いるユーザに応答して前記溶接機からコマンドを受信して、前記エアマウスデバイスをオン又はオフにするよう構成される、請求項７に記載の溶接システム。
【請求項１３】
前記溶接ソフトウェアプログラムは、前記作業者が前記エアマウスデバイスを用いて前記溶接機を制御できるよう構成される管理ソフトウェアプログラムである、請求項７に記載の溶接システム。
【請求項１４】
前記溶接ソフトウェアプログラムは、前記溶接作業を通じて前記作業者を案内するよう構成される作業指示ソフトウェアプログラムである、請求項７に記載の溶接システム。
【請求項１５】
前記溶接ソフトウェアプログラムは、前記作業者が、前記エアマウスデバイスを用いて、前記コンピュータを介して作業指示書、青写真、又は溶接手順仕様の少なくとも１つにアクセスすることを可能にする、請求項７に記載の溶接システム。
【請求項１６】
溶接システムであって、
溶接作業中に溶接出力電力を提供するよう構成される溶接機と、
前記溶接機に動作可能に接続されて前記溶接機と通信するコンピュータであって、前記コンピュータ上で実行されるブラウザソフトウェアアプリケーションを介して外部コンピュータネットワークにアクセスするよう構成されるコンピュータと、
前記コンピュータに動作可能に接続され、前記コンピュータによって実行される場合に前記ブラウザソフトウェアアプリケーションによって生成されるブラウザ画面を表示するよう構成されるディスプレイモニタと、
前記溶接機に動作可能に接続され、母材に対して前記溶接作業を行うために作業者によって用いられるよう構成される溶接ツールと、を備え、
前記溶接ツールは、前記コンピュータと無線通信して、前記作業者が前記溶接ツールを空中で動かすことによって、前記コンピュータによって前記ディスプレイモニタに表示されるコンピュータカーソルを位置決めすることを可能にするよう構成されるエアマウスデバイスを有し、
前記エアマウスデバイスは、前記作業者が前記ブラウザ画面を操作して前記ブラウザ画面の一部として前記ディスプレイモニタ上に表示される第１のオプションアイコン上に前記コンピュータカーソルを位置決めし、前記第１のオプションアイコンを選択することによって、前記外部コンピュータネットワークからの情報にアクセスすることを可能にするよう構成される、
溶接システム。
【請求項１７】
前記ディスプレイモニタは、前記外部コンピュータネットワークからの前記情報として前記コンピュータによってアクセスされるウェブページを表示するよう構成され、前記エアマウスデバイスは、前記作業者が前記ディスプレイモニタ上に前記ウェブページの一部として表示される第２のオプションアイコン上に前記コンピュータカーソルを位置決めし、前記第２のオプションアイコンを選択することを可能にするよう構成される、請求項１６に記載の溶接システム。
【請求項１８】
前記エアマウスデバイスは前記溶接ツールの一体部分である、請求項１６に記載の溶接システム。
【請求項１９】
前記エアマウスデバイスは、前記溶接ツールに着脱自在であるよう構成される、請求項１６に記載の溶接システム。
【請求項２０】
前記エアマウスデバイスは慣性に基づくエアマウスデバイスとして構成される、請求項１６に記載の溶接システム。
【請求項２１】
前記エアマウスデバイスは光学に基づくエアマウスデバイスとして構成される、請求項１６に記載の溶接システム。
【請求項２２】
前記外部コンピュータネットワークからアクセス可能な前記情報は、溶接作業指示書、溶接青写真、溶接手順仕様、又はソフトウェアアプリケーションのうちの少なくとも１つを含む、請求項１６に記載の溶接システム。
【請求項２３】
前記ソフトウェアアプリケーションは、前記外部コンピュータネットワークで実行されるよう構成される溶接ソフトウェアアプリケーション、市販のコンピュータ支援設計（ＣＡＤ）ソフトウェアアプリケーション、市販のスプレッドシートソフトウェアアプリケーション、又は市販のプレゼンテーションソフトウェアアプリケーションのうちの少なくとも１つを含む、請求項２２に記載の溶接システム。
【発明の詳細な説明】
【技術分野】
【０００１】
関連出願／参考文献の相互参照
１９８８年１１月２２日発行の米国特許第４，７８７，０５１号明細書、２０１７年１月１７日発行の米国特許第９，５４７，３７９Ｂ２号明細書、及び２０１７年９月１９日発行の米国特許第９，７６６，７２１Ｂ２号明細書をそれぞれ、その全てを引用して本明細書中に組み込み、慣性マウス技術及びエアマウス技術の詳細を提供する。２０１０年１２月２３日に公開された米国特許出願公開第２０１０／０３２０１８４Ａ１号明細書を、その全てを引用して本明細書中に組み込み、溶接ガンの形態での溶接ツールの詳細を提供する。２０１８年１１月２７日発行の米国特許１０，１３７，５２２Ｂ２号明細書及び２０１８年１２月４日発行の米国特許１０，１４４，０８０Ｂ２号明細書をそれぞれ、その全てを引用して本明細書中に組み込み、切断システム及び切断ツール（トーチ）の詳細を提供する。
【０００２】
本発明の実施形態は、溶接（又は切断）に関するシステム、方法、及び装置に関し、より詳細には、溶接作業（又は熱切断作業）中にコンピュータと対話するためのシステム、方法、及び装置に関する。実施形態を本明細書中で溶接に関して説明する。しかし、本明細書中で説明する発明の概念は、熱切断にも等しく適用可能であってもよい。例えば、本明細書中で説明する発明の概念は、熱切断ツールのみならず溶接ツールにも、並びに熱切断機のみならず溶接機にも等しく良好に適用することができる。
【背景技術】
【０００３】
インテリジェント溶接の重要性が高まるにつれて、ペーパーレスの文書化及び記録管理の重要性が生産環境において高まっている。溶接作業者は、溶接作業中に、溶接機にとどまりながら、作業領域への集中を失うことなく、ペーパーレスシステム（例えば、コンピュータ）と容易に対話する能力を欠いている。人件費及び間接費は溶接作業のコストのかかる部分であるため、溶接作業者が歩き回り作業セルを離れる必要が少なくなるほど、節約することができ、溶接作業者の安全性が高まる（例えば、コンピュータと溶接機との間を歩く間にケーブルにつまずくことがない）。
【先行技術文献】
【特許文献】
【０００４】
【特許文献１】米国特許第４，７８７，０５１号明細書
【特許文献２】米国特許第９，５４７，３７９Ｂ２号明細書
【特許文献３】米国特許第９，７６６，７２１Ｂ２号明細書
【特許文献４】米国特許出願公開第２０１０／０３２０１８４Ａ１号明細書
【発明の概要】
【課題を解決するための手段】
【０００５】
本発明の実施形態は、溶接に関するシステム、方法、及び装置を含み、より詳細には、溶接作業者が効率的な方法で溶接作業中にペーパーレスシステムと容易に対話することを可能にするシステム、方法、及び装置を含む。
【０００６】
一実施形態において、溶接ツールが提供される。溶接ツールは、ハンドル、ネック、及び選択インターフェースを有するエアマウスデバイスを含む。溶接ツールは、溶接機に動作可能に接続され、母材に対して溶接作業を行うために作業者によって用いられるよう構成される。また、エアマウスデバイスは、溶接機に動作可能に接続されるコンピュータと無線通信するよう構成される。一実施形態において、コンピュータは溶接機に組み込まれてもよい（その一体部分である）。エアマウスデバイスは、作業者が溶接ツールを空中で移動させることによって、コンピュータによってディスプレイモニタ上に表示されるようなオプションアイコン上にコンピュータカーソルを位置決めすることを可能にする。更に、エアマウスデバイスは、作業者がエアマウスデバイスの選択インターフェースを噛み合わせることによってオプションアイコンを選択することを可能にする。一実施形態において、エアマウスデバイスは溶接ツールの一体部分である。別の実施形態において、エアマウスデバイスは、溶接ツールのハンドル又はネックの少なくとも１つから着脱自在であるよう構成される。一実施形態において、エアマウスデバイスは、慣性に基づくエアマウスデバイスとして構成される。別の実施形態において、エアマウスデバイスは、光学に基づくエアマウスデバイスとして構成される。一般に、エアマウスデバイスはディスプレイモニタの近くに位置する。一実施形態において、溶接ツールは、トリガアセンブリ、ノズル、導電アセンブリ、及びコンタクトチップを更に含むアーク溶接ツールである。
【０００７】
一実施形態において、溶接システムは構内接続で提供される。溶接システムは、溶接作業中に溶接出力電力を提供するよう構成される溶接機を含む。溶接システムは、また、溶接機に動作可能に接続されて溶接機と通信するコンピュータを含み、コンピュータは溶接ソフトウェアプログラムを実行するよう構成される。溶接システムは、更に、コンピュータに動作可能に接続され、コンピュータによって実行される場合に溶接ソフトウェアプログラムによって生成される画面を表示するよう構成されるディスプレイモニタを含む。溶接システムは、また、溶接機に動作可能に接続され、母材に対して溶接作業を行うために作業者によって用いられるよう構成される溶接ツールを含む。溶接ツールは、コンピュータと無線通信して、作業者が溶接ツールを空中で動かすことによって、コンピュータによってディスプレイモニタに表示されるコンピュータカーソルを位置決めすることを可能にするよう構成されるエアマウスデバイスを有する。エアマウスデバイスは、作業者がディスプレイモニタ上に画面の一部として表示されるオプションアイコン上にコンピュータカーソルを位置決めし、オプションアイコンを選択することを可能にするよう構成される。溶接ソフトウェアを操作する場合又は製造において様々な異なる部品を生産する場合、作業指示書、溶接手順、及び／又は青写真を含む多数のファイル及びフォルダにアクセスしてもよい。作業者は、電子メールへのアクセス、製造実行システム（ＭＥＳ）へのアクセス、又は簡単なレポートの作成を望む可能性がある。コンピュータは、作業者がエアマウスデバイスを用いて情報を入力することを可能にする仮想キーボードを有してもよい。一実施形態において、エアマウスデバイスは溶接ツールの一体部分である。別の実施形態において、エアマウスデバイスは、溶接ツールに着脱自在であるよう構成される。一実施形態において、エアマウスデバイスは、慣性に基づくエアマウスデバイスとして構成される。別の実施形態において、エアマウスデバイスは、光学に基づくエアマウスデバイスとして構成される。一実施形態において、溶接機はユーザインターフェースを含み、コンピュータは、インターフェースを用いるユーザに応答して溶接機からコマンドを受信して、エアマウスデバイスをオン又はオフにするよう構成される。一実施形態において、溶接ソフトウェアプログラムは、作業者がエアマウスデバイスを用いて溶接機を制御できるよう構成される管理ソフトウェアプログラムである。一実施形態において、溶接ソフトウェアプログラムは、溶接作業を通じて作業者を案内するよう構成される作業指示ソフトウェアプログラムである。一実施形態において、溶接ソフトウェアプログラムは、作業者が、エアマウスデバイスを用いて、コンピュータを介して作業指示書、青写真、又は溶接手順仕様の少なくとも１つにアクセスすることを可能にする。
【０００８】
一実施形態において、溶接システムはネットワーク接続で提供される。溶接システムは、溶接作業中に溶接出力電力を提供するよう構成される溶接機を含む。溶接システムは、また、溶接機に動作可能に接続されて溶接機と通信するコンピュータを含み、コンピュータは、コンピュータ上で実行されるブラウザソフトウェアアプリケーションを介して外部コンピュータネットワークにアクセスするよう構成される。溶接システムは、更に、コンピュータに動作可能に接続され、コンピュータによって実行される場合にブラウザソフトウェアアプリケーションによって生成されるブラウザ画面を表示するよう構成されるディスプレイモニタを含む。溶接システムは、また、溶接機に動作可能に接続され、母材に対して溶接作業を行うために作業者によって用いられるよう構成される溶接ツールを含む。溶接ツールは、コンピュータと無線通信して、作業者が溶接ツールを空中で動かすことによって、コンピュータによってディスプレイモニタに表示されるコンピュータカーソルを位置決めすることを可能にするよう構成されるエアマウスデバイスを有する。更に、エアマウスデバイスは、作業者がブラウザ画面を操作してブラウザ画面の一部としてディスプレイモニタ上に表示される第１のオプションアイコン上にコンピュータカーソルを位置決めし、第１のオプションアイコンを選択することによって、外部コンピュータネットワークからの情報にアクセスすることを可能にするよう構成される。一実施形態において、ディスプレイモニタは、外部コンピュータネットワークからの情報としてコンピュータによってアクセスされるウェブページを表示するよう構成され、エアマウスデバイスは、作業者がディスプレイモニタ上にウェブページの一部として表示される第２のオプションアイコン上にコンピュータカーソルを位置決めし、第２のオプションアイコンを選択することを可能にするよう構成される。一実施形態において、エアマウスデバイスは溶接ツールの一体部分である。別の実施形態において、エアマウスデバイスは、溶接ツールに着脱自在であるよう構成される。一実施形態において、エアマウスデバイスは、慣性に基づくエアマウスデバイスとして構成される。別の実施形態において、エアマウスデバイスは、光学に基づくエアマウスデバイスとして構成される。一実施形態において、外部コンピュータネットワークからアクセス可能な情報は、溶接作業指示書、溶接青写真、溶接手順仕様、又はソフトウェアアプリケーションのうちの少なくとも１つを含む。一実施形態において、ソフトウェアアプリケーションは、外部コンピュータネットワークで（例えば、「クラウド内」のサーバコンピュータで）実行されるよう構成される溶接ソフトウェアアプリケーション、市販のコンピュータ支援設計（ＣＡＤ）ソフトウェアアプリケーション、市販のスプレッドシートソフトウェアアプリケーション、又は市販のプレゼンテーションソフトウェアアプリケーションのうちの少なくとも１つを含む。
【０００９】
一般的発明概念の多数の態様は、以下の例示的な実施形態の詳細な説明から、特許請求の範囲から、及び添付図面から、容易に明らかとなるであろう。
【００１０】
明細書の一部に組み込まれ、それらを構成する添付図面は、開示の様々な実施形態を示している。図面内に図示する構成要素の境界（例えば、ボックス、ボックスの群、又は他の形状）は境界の一実施形態を表していることは、正しく認識されるであろう。幾つかの実施形態において、１つの構成要素は多数の構成要素として設計されてもよいか、又は、その多数の構成要素が１つの構成要素として設計されてもよい。幾つかの実施形態において、別の構成要素の内部コンポーネントとして示す構成要素は外部コンポーネントとして実装されてもよく、その逆もまた可能である。更に、構成要素は正確な縮尺で描かれなくてもよい。
【図面の簡単な説明】
【００１１】
【図１】図１は、溶接システムの構内接続の一実施形態を示す。
【図２】図２は、図１の溶接システムの溶接機の実例となる一実施形態のブロック略図を示す。
【図３】図３は、図１の溶接システムのコンピュータの実例となる一実施形態を示す。
【図４】図４は、一体化されたエアマウスデバイスを有する図１の溶接システムの溶接ツールの実例となる第１の実施形態を示す。
【図５】図５は、着脱自在なエアマウスデバイスを有する図１の溶接システムの溶接ツールの実例となる第２の実施形態を示す。
【図６】図６は、図１の溶接システムを用いる溶接作業中にコンピュータと対話する方法の一実施形態のフロー図である。
【図７】図７は、外部コンピュータネットワークにアクセスするようそれぞれ構成される複数の溶接システムを有するネットワーク化されたシステムアーキテクチャの一実施形態を示す。
【図８】図８は、モノのインターネット（ＩｏＴ）と対話するよう構成される溶接システムを有するネットワーク化されたシステムアーキテクチャの一実施形態を示す。
【発明を実施するための形態】
【００１２】
インテリジェント溶接の重要性が高まるにつれて、ペーパーレスの文書化及び記録管理の重要性が生産環境において高まっている。本発明の実施形態は、ペーパーレス形式で作業指示書、青写真、及び溶接手順仕様を与える他のコンピュータと通信するコンピュータ及び溶接機を提供する。溶接ツール（例えば、溶接ガン又は溶接トーチ）にエアマウスを組み込んだり又は取り付けたりすることにより、溶接環境における追加機器が除去され、生産／学習プロセスが高速化される。これにより、作業者はファイル及びソフトウェアプログラムにアクセスし、コンピュータ上のコマンドを溶接機により与え易くなる。作業者は作業セルを離れる必要がなく、潜在的な作業者の要因が増加する。
【００１３】
本明細書中の実施例及び図は説明するためだけのものであり、特許請求の範囲の適用範囲及び精神によって判断される主題発明を制限することを意味するものではない。ここで図面を参照すると、示されているのは、主題発明の例示的な実施形態を示すことだけを目的とし、それらを制限することを目的としておらず、図１は、溶接システム１００の構内接続の一実施形態を示している。溶接システム１００は、溶接機２００、コンピュータ３００、ディスプレイモニタ３２０、及び溶接ツール（例えば、溶接ガン又はトーチ）４００を含んでいる。一実施形態において、ディスプレイモニタはコンピュータに一体化されていてもよく、及び／又は、コンピュータは溶接機に一体化されていてもよい。
【００１４】
溶接機２００は、溶接作業（例えば、アーク溶接作業）中に溶接出力電力（例えば、溶接電圧及び溶接電流の形態での）を提供するよう構成される。溶接機２００の例示的な実施形態を図２に関して本明細書中で検討する。コンピュータ３００は、例えば、デスクトップＰＣ、ラップトップ、又はタブレットであってもよく、溶接機２００に動作可能に接続されて溶接機と通信する。コンピュータ３００は、溶接ソフトウェアプログラム及び／又はブラウザソフトウェアアプリケーションを実行するよう構成される。溶接システム１００は、また、コンピュータ３００に動作可能に接続され（又はコンピュータ３００の一部であり）、コンピュータ３００によって実行される場合に溶接ソフトウェアプログラム又はブラウザソフトウェアアプリケーションによって生成される画面を表示するよう構成されるディスプレイモニタ３２０も含んでいる。溶接システム１００は、更に、溶接機２００に動作可能に接続され（例えば、溶接ケーブルを介して）、母材に対して溶接作業を行うために人間の作業者によって用いられるよう構成される溶接ツール４００を含む。
【００１５】
溶接ツール４００は、コンピュータ３００と無線通信（例えば、動作関連データをコンピュータ３００に送信）して、作業者が溶接ツール４００を空中で動かすことによって、コンピュータ３００によってディスプレイモニタ３２０に表示されるコンピュータカーソル３２２を位置決めすることを可能にするよう構成されるエアマウスデバイス４５０を有する。このようにして、作業者は、ディスプレイモニタ３２０上に画面の一部として表示されるオプションアイコン（例えば、オプションアイコン３２５〜３２９）上にコンピュータカーソル３２２を位置決めし、オプションアイコンを選択することができる。各オプションアイコンは、コンピュータ３００上で実行される溶接ソフトウェアプログラム又はブラウザソフトウェアアプリケーションによって提供される異なる特徴、機能、又はウィンドウに対応していてもよい。例えば、オプションアイコン３２５は、作業者が質問をすることを可能にしてもよい。オプションアイコン３２６は、作業者がコンピュータファイルを含むコンピュータフォルダにアクセスすることを可能にしてもよい。オプションアイコン３２７は、作業者が母材に対して実行される溶接順序を開始することを可能にしてもよい。オプションアイコン３２８は、溶接順序の特定の溶接タスクが作業者によって完了された場合を、作業者が溶接システム１００に示すことを可能にしてもよい。ブラウザソフトウェアアプリケーションがブラウザ画面を表示し、オプションアイコン３２９が（例えば、コンピュータ３００で実行されているブラウザソフトウェアアプリケーションによって提供される）ウィンドウである場合、ウィンドウ３２９は、作業者が（例えば、ユニフォームリソースロケータ（ＵＲＬ）又は検索条件に対応する）テキストを入力して、例えば、外部コンピュータネットワーク（例えば、インターネット）上のＷｅｂサイトに移動したり、又はＷｅｂサイトを検索したりすることを可能にする。外部コンピュータネットワークへのアクセスについては、図７に関して本明細書中で後に検討する。他のオプションアイコンも、他の実施形態により同様に可能である。一般に、オプションアイコンの選択により、結果としてコンピュータ３００はオプションアイコンに関連する少なくとも１つの機能（例えば、コンピュータフォルダを開くこと、コンピュータファイルを開くこと、コンピュータプログラムの実行を開始すること、仮想キーボードを提供すること、又は任意の数の他の作業者が選択可能なコンピュータ又はソフトウェア関連機能）を開始する。
【００１６】
一実施形態において、溶接ソフトウェアプログラムは、例えば、人間の作業者が溶接ツール４００の一部である無線エアマウスデバイス４５０を用いて溶接機２００を制御することを可能にするよう構成される管理ソフトウェアプログラムであってもよい。無線エアマウスデバイス４５０を有する溶接ツール４００については、本明細書中で後により詳細に検討する。別の実施形態において、溶接ソフトウェアプログラムは、例えば、溶接ツール４００の一部である無線エアマウスデバイス４５０を用いて溶接作業（例えば、母材の溶接順序）を通じて作業者を案内するよう構成される作業指示ソフトウェアプログラムであってもよい。更に別の実施形態において、溶接ソフトウェアプログラムは、作業者が、溶接ツール４００の一部である無線エアマウスデバイス４５０を用いて、コンピュータ３００を介して作業指示書、青写真、又は溶接手順仕様にアクセスすることを可能にしてもよい。他の種類の溶接ソフトウェアプログラムも、他の実施形態により同様に可能である。
【００１７】
一実施形態において、エアマウスデバイス４５０は、図４に関して本明細書中で後に検討するように、溶接ツール４００の一体部分である。別の実施形態において、エアマウスデバイス４５０は、図５に関して本明細書中で後に検討するように、溶接ツール４００に取り付けられ、そこから脱着自在であるよう構成される。一実施形態において、エアマウスデバイス４５０は、慣性に基づくエアマウスデバイスとして構成される。別の実施形態において、エアマウスデバイス４５０は、光学に基づくエアマウスデバイスとして構成される。他の種類のエアマウスデバイスも、他の実施形態により同様に可能であってもよい。様々な種類のエアマウスデバイス技術の詳細が（特許文献１）、（特許文献２）、及び（特許文献３）に記載されており、それぞれその全てを引用して本明細書中に組み込む。
【００１８】
図２は、消耗ワイヤ電極２７２（たとえば、溶接ツール４００を介して）に動作可能に接続される図１の溶接システム１００の溶接機２００の実例となる一実施形態のブロック略図を示している。溶接機２００は、ワイヤ２７２と被加工部品２７４との間に溶接出力電力を供給してワイヤ２７２と部品２７４との間にアークを形成することにより溶接中にワイヤ２７２を溶融させる電力変換回路２１０とブリッジスイッチング回路２８０とを有するスイッチング電力供給部２０５を含んでいる。電力変換回路２１０は、ハーフブリッジ出力トポロジーをベースにした変圧器であってもよい。例えば、電力変換回路２１０は、例えば、溶接変圧器の一次側及び二次側によってそれぞれ明確化されるような入力電力側及び出力電力側を含むインバータ型のものであってもよい。ＤＣ出力トポロジーを有するチョッパー型等の、他の種類の電力変換回路も同様に可能である。例えば、溶接機２００はまた、電力変換回路２１０に動作可能に接続され、溶接出力電流の極性方向を切り替えるよう（例えば、ＡＣ動作のため）構成されるブリッジスイッチング回路２８０も含む。
【００１９】
溶接機２００は、更に、波形発生器２２０及びコントローラ２３０を含む。波形発生器２２０は、コントローラ２３０の命令により溶接波形を生成する。波形発生器２２０によって生成された波形は、電力変換回路２１０の出力を変調してワイヤ２７２と被加工部品２７４との間に出力電流を生成する。コントローラ２３０は、また、ブリッジスイッチング回路２８０の切り換えも命令し、電力変換回路２１０に制御命令を提供してもよい。
【００２０】
一実施形態において、溶接機２００は、更に、ワイヤ２７２と被加工部品２７４との間の溶接出力電圧及び電流を監視し、監視した電圧及び電流をコントローラ２３０に戻すよう電圧フィードバック回路２４０及び電流フィードバック回路２５０を含んでいる。フィードバック電圧及び電流は、波形発生器２２０によって生成された溶接波形を修正することに関する決定を行うか、及び／又は、例えば、溶接機２００の動作に影響を及ぼす他の決定を行うためにコントローラ２３０によって用いられてもよい。
【００２１】
一実施形態によれば、スイッチング電力供給部２０５、波形発生器２２０、コントローラ２３０、電圧フィードバック回路２４０、電流フィードバック回路２５０、及びネットワークインターフェース２６０は溶接電源を構成する。溶接機２００は、また、一実施形態に従って、選択されたワイヤ送給速度（ＷＦＳ）で溶接ツール４００（図２に示さない）を介して被加工部品２７４に向けて消耗金属ワイヤ２７２を供給するワイヤ送給装置２７０を含んでいてもよい。ワイヤ送給装置２７０、消耗金属ワイヤ２７２、及び被加工部品２７４は、溶接電源の一部ではないが、例えば、１つ以上の出力ケーブルを介して電源に動作可能に接続されてもよい。
【００２２】
一実施形態によれば、コントローラ２３０は、作成された各溶接について溶接機２００から様々な種類の溶接データを測定、計算、及び収集する。様々な種類の溶接データを測定、計算、及び収集する技術は、当該技術において周知である。溶接データは、例えば、溶接出力電圧、溶接出力電流、ワイヤ送給速度、アーク長、突出し長さ、コンタクトチップから母材までの距離（ＣＴＷＤ）、作業角度、移動角度、移動速度、ガス流量、溶接ツール（トーチ）の溶接動作、ワイヤ種類、用いられるワイヤの量、及び溶着速度のうちの１つ以上のパラメータに関するデータを含んでいてもよい。かかる溶接パラメータは当該技術において周知である。
【００２３】
ネットワークインターフェース２６０（例えば、一実施形態におけるイーサネットインターフェース）は、溶接機２００及びコンピュータ３００が互いに通信できるように、コンピュータ３００と動作可能にインターフェース接続するよう構成される。一実施形態によれば、ネットワークインターフェース２６０はコントローラ２３０の一部である。溶接機２００とコンピュータ３００との間の通信を用いて、作業者が溶接機２００を制御することを可能にしてもよい。溶接機２００とコンピュータ３００との間の通信により、溶接データを溶接機２００からコンピュータ３００上で実行される溶接ソフトウェアプログラムに提供されて、例えば、ディスプレイモニタ３２０上で作業者に表示されることを可能にしてもよい。溶接機２００とコンピュータ３００との間の他の種類の通信も、他の実施形態により同様に可能である。
【００２４】
溶接機２００は、コントローラ２３０に動作可能に接続されるユーザインターフェース２９０を含んでいる。一実施形態によれば、コンピュータ３００は、ユーザインターフェース２９０を用いるユーザに応答して溶接機２００からコマンドを受信するよう構成される。例えば、コマンドをコンピュータ３００に送信して、エアマウスデバイス４５０を「オン」又は「オフ」にしてもよい。例えば、ユーザは、ユーザインターフェース２９０上のタッチスクリーンディスプレイ（図示せず）を用いて、エアマウスデバイス４５０を「オン」にしてもよい。一実施形態において、「オン」信号はユーザインターフェース２９０からコントローラ２３０に送信される。コントローラ２３０は、「オン」信号に応答して（例えば、デジタルデータの形態で）「オン」コマンドを生成し、「オン」コマンドをネットワークインターフェース２６０を介してコンピュータ３００に送信する。同様に、「オフ」信号及び「オフ」コマンドを生成し、コンピュータ３００に送信して、エアマウスデバイス４５０を「オフ」にしてもよい。エアマウスデバイス４５０及びコンピュータ３００は、互いに無線で通信するよう構成され、従って、コンピュータ３００は、命令時にエアマウスデバイス４５０と通信して、エアマウスデバイス４５０を起動（「オン」）又は停止（「オフ」）することができる。
【００２５】
図３は、図１の溶接システム１００のコンピュータ３００の例示的実施形態となる一実施形態を図示している。コンピュータ３００は、バスサブシステム３１２を介して多数の周辺装置と通信する少なくとも１つのプロセッサ３１４を含んでいる。これらの周辺装置は、例えば、メモリサブシステム３２８及びファイルストレージサブシステム３２６を含むストレージサブシステム３２４、ユーザインターフェース入力デバイス３２２、ユーザインターフェース出力デバイス３２０（たとえばディスプレイモニタ）、及びネットワークインターフェースサブシステム３１６を含んでいてもよい。入出力デバイスはコンピュータ３００とのユーザの対話を可能にする。ネットワークインターフェースサブシステム３１６は外部ネットワーク（例えば、インターネット）とのインターフェースを提供し、他のコンピュータシステム内の対応するインターフェースデバイスに接続してもよい。例えば、溶接機２００のコントローラ２３０は、コンピュータ３００と１つ以上の特性を共有してもよく、また、例えば、従来のコンピュータ、デジタル信号プロセッサ、及び／又は他のコンピューティングデバイスであってもよい。
【００２６】
ユーザインターフェース入力デバイス３２２は、キーボード、マウス、トラックボール、タッチパッド、又はグラフィックスタブレット等のポインティングデバイス、スキャナ、ディスプレイに組み込まれるタッチスクリーン、音声認識システム等のオーディオ入力デバイス、マイクロフォン、及び／又は他の種類の入力デバイスを含んでいてもよい。一般に、用語「入力デバイス」の使用は、情報をコンピュータ３００又は通信ネットワークに入力する可能な全ての種類のデバイス及び方法を含むことを意図している。
【００２７】
ユーザインターフェース出力デバイス３２０は、ディスプレイサブシステム（たとえば、ディスプレイモニタ）、プリンタ、ファックス機、又はオーディオ出力デバイス等の非視覚的表示を含んでいてもよい。ディスプレイサブシステムは、陰極線管（ＣＲＴ）、液晶ディスプレイ（ＬＣＤ）等のフラットパネル装置、プロジェクション装置、又は可視画像を作成するための他の幾つかの機構を含んでいてもよい。ディスプレイサブシステムは、また、オーディオ出力デバイス（たとえば、スピーカー）を介するもの等の非視覚的表示を提供してもよい。一般に、用語「出力デバイス」の使用は、情報をコンピュータ３００からユーザ又は別の機械若しくはコンピュータシステムに出力する可能な全ての種類のデバイス及び方法を含むことを意図している。
【００２８】
ストレージサブシステム３２４は、本明細書中で説明する幾つか又は全ての機能を提供又は支援するプログラミング及びデータ構造体を（例えば、ソフトウェアモジュール／コンポーネント又はプログラムとして）格納している。例えば、ストレージサブシステム３２４は、管理ソフトウェアプログラム、作業指示ソフトウェアプログラム、作業指示、青写真、溶接手順仕様、又はブラウザソフトウェアアプリケーション（例えば、ウェブブラウザ）を含んでいてもよい。
【００２９】
ソフトウェアモジュール／プログラム／アプリケーションは、一般に、プロセッサ３１４単体又は他のプロセッサと組み合わせることによって実行される。ストレージサブシステム内で用いられるメモリ３２８は、プログラム実行中に命令及びデータを格納するためのメインランダムアクセスメモリ（ＲＡＭ）３３０及び固定命令が格納される読出し専用メモリ（ＲＯＭ）３３２を含む多数のメモリを含むことができる。ファイルストレージサブシステム３２６は、プログラム及びデータファイルのための持続性ストレージを提供することができ、ハードディスクドライブ、関連するリムーバブルメディアに加えてフロッピーディスクドライブ、ＣＤ−ＲＯＭドライブ、光学式ドライブ、又はリムーバブルメディアカートリッジ（外部記憶のための、たとえば外付けハードドライブ、ＵＳＢドライブ、又はセキュリティデジタル（ＳＤ）カード）を含んでいてもよい。ある特定の実施形態の機能を実装するモジュールは、ストレージサブシステム３２４内のファイルストレージサブシステム３２６によって、又は、プロセッサ３１４によってアクセス可能な他の機械内に格納されてもよい。
【００３０】
バスサブシステム３１２はコンピュータ３００の種々のコンポーネント及びサブシステムに意図したような互いとの通信を行わせるための機構を提供する。バスサブシステム３１２を単一バスとして略図的に示しているが、バスサブシステムの代替実施形態は多重バスを用いてもよい。
【００３１】
コンピューティングデバイス及びネットワークの絶えず変化する性質のため、図３に示すコンピュータ３００の説明は幾つかの実施形態を示すための特定の実施例としてのみを目的としている。図３に示すコンピュータよりも多くの又は少ないコンポーネントを有するコンピュータ３００の他の多くの構成が可能である。
【００３２】
図４は、図１の溶接システム１００の溶接ツール４００の実例となる第１の実施形態を示しており、溶接ツール４００に組み込まれたエアマウスデバイス４５０の一実施形態を有している。溶接ツールは、様々な実施形態によるＧＭＡＷガン、ＦＣＡＷガン、ＳＭＡＷ電極ホルダ、ＧＴＡＷトーチ、等であってもよい。溶接ツール４００は、ハンドル４１０、トリガアセンブリ４２０、グースネック４３０、ノズル４４０、及びハンドル４１０に一体化されたエアマウスデバイス４５０を含んでいる。溶接ツール４００は、また、導電アセンブリ４６０及びコンタクトチップ４７０も含んでいる。溶接ツール４００は、半自動アーク溶接プロセスを実行するようそれを通って供給される溶接ワイヤを有するアーク溶接ガンとして構成される。（特許文献４）は、その全てを引用して本明細書中に組み込まれ、溶接ガンの形態の溶接ツールの追加の詳細を提供する。溶接ツール４００は、溶接機２００に動作可能に接続され、母材に対して溶接作業を行うために作業者によって用いられるよう構成される。エアマウスデバイス４５０は、溶接機２００にも動作可能に接続されるコンピュータ３００と無線通信するよう構成される。
【００３３】
エアマウスデバイス４５０は、ハンドル４１０において作業者がアクセス可能な３つの選択インターフェース４５２、４５４、及び４５６（例えば、押しボタン又はタッチパッド）を有する無線エアマウスデバイスである。選択インターフェースのうちの少なくとも１つにより、作業者は、コンピュータマウス３２２をオプションアイコン上に位置決めする時にディスプレイモニタ３２０上のオプションアイコン（例えば、３２５、３２６、３２７、３２８、又は３２９）を選択することが可能となる。溶接ツール４００のハンドル４１０に一体化されたエアマウスデバイス４５０により、作業者は、溶接ツール４００を空中で移動させることによって、コンピュータ３００によってディスプレイモニタ３２０上に表示されるようなオプションアイコン上にコンピュータカーソル３２２を位置決めすることが可能となる。エアマウスデバイス４５０は、また、作業者がエアマウスデバイス４５０の選択インターフェースのうちの１つ（例えば、４５２）を噛み合わせることによってオプションアイコンを選択することを可能にする。他の選択インターフェース（例えば、４５４及び４５６）は、他の実施形態により、他の機能の選択を提供してもよい。例えば、一実施形態において、選択インターフェース４５４により、作業者は、オプションアイコンを効果的に「右クリック」して、そのオプションアイコン用の選択可能オプション（例えば、カット、コピー、削除、名前変更、ショートカットの作成、プロパティ、等）のメニューを表示することが可能となる。一実施形態において、選択インターフェース４５６により、作業者は、溶接ツール４００でエアマウスデバイスを「オン」又は「オフ」にすることが可能となる。
【００３４】
一実施形態において、エアマウスデバイス４５０は、慣性に基づくエアマウスデバイスとして構成される。エアマウスデバイスが動き回るよう向けられる方向に関して、較正が行われてもよい。別の実施形態において、エアマウスデバイス４５０は、光学に基づくエアマウスデバイスとして構成される。他の種類のエアマウスデバイスも、他の実施形態により同様に可能であってもよい。幾つかの実施形態において、エアマウスデバイスが動き回るよう向けられる方向に関して、較正が行われてもよい。様々な種類のエアマウスデバイス技術の詳細が（特許文献１）、（特許文献２）、及び（特許文献３）に記載されており、それぞれその全てを引用して本明細書中に組み込む。
【００３５】
図５は、図１の溶接システム１００の溶接ツール４００の実例となる第２の実施形態を示している。図５の溶接ツール４００の実施形態は、図５において、エアマウスデバイス４５０の実施形態が、図４のように溶接ツール４００に一体化される代わりに、溶接ツール４００に着脱自在であることを除いて、図４の溶接ツール４００の実施形態と同様である。図５のエアマウスデバイス４５０の様々な実施形態は、例えば、ハンドル４１０、ネック４３０、又はハンドル４１０とネック４３０との間の境界面に取り付けられてもよい。図５のエアマウスデバイス４５０は、様々な実施形態による、例えば、磁石、ベルクロ（登録商標）、クランプ、接着剤、又は他の手段を介して溶接ツール４００に取り付けられてもよい。このようにして、既存の溶接ツールにかかる着脱式のエアマウスデバイスを後付けすることができる。再度、幾つかの実施形態において、エアマウスデバイスが動き回るよう向けられる方向に関して、較正が行われてもよい。
【００３６】
図６は、図１の溶接システム１００を用いて溶接作業中にコンピュータ３００と対話する方法６００の一実施形態のフロー図である。ブロック６１０において、動作データ（作業者によって開始された溶接ツール４００の空中での動きに対応する）は、溶接ツール４００のエアマウスデバイス４５０によって無線で送信される一方で、溶接ツール４００は溶接機２００に動作可能に接続される。ブロック６２０において、動作データは、溶接機２００に動作可能に接続されたコンピュータ３００において無線で受信される。
【００３７】
ブロック６３０において、表示されるコンピュータカーソル３２２は、動作データの受信に応答して、コンピュータ３００に動作可能に接続されたディスプレイモニタ３２０上の表示オプションアイコン（例えば、３２５）上でコンピュータ３００によって位置が変更される。ブロック６４０において、選択コマンドは、溶接ツール４００のエアマウスデバイス４５０の選択インターフェース（例えば、４５２）を介して作業者により開始された選択に応答して、エアマウスデバイス４５０により無線で送信される。ブロック６５０において、選択コマンドはコンピュータ３００において無線で受信される。
【００３８】
ブロック６６０において、表示されたオプションアイコンは、コンピュータ３００が選択コマンドを受信することに応じて、コンピュータ３００により選択される。再度、一般に、オプションアイコンの選択により、結果としてコンピュータ３００はオプションアイコンに関連する少なくとも１つの機能（例えば、コンピュータフォルダを開くこと、コンピュータファイルを開くこと、コンピュータプログラムの実行を開始すること、又は任意の数の他の作業者が選択可能なコンピュータ又はソフトウェア関連機能）を開始する。このようにして、溶接機に動作可能に接続される溶接ツールを用いて、同じく溶接機に動作可能に接続されるコンピュータと対話することができる。
【００３９】
図７は、外部コンピュータネットワーク７１０（例えば、インターネット）を介して情報にアクセスするようそれぞれ構成される複数の溶接システム１００（図１を参照）を有するネットワーク化されたシステムアーキテクチャ７００の一実施形態を示す。例えば、図７のシステムアーキテクチャ７００の一実施形態において、各溶接システム１００は、外部コンピュータネットワーク７１０を介して情報にアクセスするよう構成されるコンピュータ３００を含んでいる。コンピュータ３００は、ネットワークインターフェース３１６（図３を参照）及びコンピュータ３００上で実行されるブラウザソフトウェアアプリケーション（例えば、ウェブブラウザ）を介する外部コンピュータネットワーク７１０へのアクセスを容易にする。ディスプレイモニタ３２０は、コンピュータ３００に動作可能に接続され（又はコンピュータ３００の一部と見なされ）、コンピュータ３００によって実行されるブラウザソフトウェアアプリケーションによって生成されるブラウザ画面を表示するよう構成される。
【００４０】
溶接システム１００の溶接ツール４００（図１、図４、及び図５を参照）は、母材に対して溶接作業を行うために作業者によって用いられるよう構成される。溶接ツール４００は、コンピュータ３００と無線通信して、作業者が溶接ツール４００を空中で動かすことによって、コンピュータ３００によってディスプレイモニタ３２０に表示されるコンピュータカーソル３２２（図１を参照）を位置決めすることを可能にするよう構成されるエアマウスデバイス４５０を有する。例えば、エアマウスデバイス４５０は、作業者がブラウザ画面を操作してブラウザ画面の一部としてディスプレイモニタ３２０上に表示される任意の第１のオプションアイコン上にコンピュータカーソル３２２を位置決めし、任意の第１のオプションアイコンを選択することによって、外部コンピュータネットワーク７１０を介して情報にアクセスすることを可能にするよう構成される。一実施例として、第１のオプションアイコンは、作業者が、例えば、ユニフォームリソースロケータ（ＵＲＬ）又は検索条件に対応するテキストを入力（例えば、他の第１のオプションアイコンのテキストメニューから選択）することを可能にするウィンドウ３２９（図１を参照）を含んでいてもよい。
【００４１】
再度、図７を参照すると、外部コンピュータネットワーク７１０を介してアクセス可能な情報は、例えば、データストア７３０（例えば「クラウド内」）に動作可能に接続されるサーバコンピュータ７２０からアクセスされてもよい。サーバコンピュータ７２０から外部コンピュータネットワーク７１０を介してアクセス可能な情報は、例えば、ウェブページ、溶接作業指示、溶接青写真、溶接手順仕様、又は、例えば、データストア７３０に格納されたソフトウェアアプリケーションを含んでいてもよい。他の情報のアクセスも、他の実施形態により同様に可能である。
【００４２】
一実施例として、一実施形態において、ディスプレイモニタ３２０は、外部コンピュータネットワーク７１０を介してコンピュータ３００によってアクセスされるウェブページを表示するよう構成される。エアマウスデバイス４５０により、作業者は、ディスプレイモニタ３２０上にウェブページの一部として表示される第２のオプションアイコン上にコンピュータカーソル３２２を位置決めし、第２のオプションアイコンを選択することが可能となる。溶接ツール４００のエアマウスデバイス４５０を用いる第２のオプションアイコンの選択により、作業者はウェブページと対話することが可能となる。
【００４３】
更に、外部コンピュータネットワーク７１０を介してアクセス可能な様々なソフトウェアアプリケーションは、例えば、溶接ソフトウェアアプリケーション、市販のコンピュータ支援設計（ＣＡＤ）ソフトウェアアプリケーション、市販のスプレッドシートソフトウェアアプリケーション、又は市販のプレゼンテーションソフトウェアアプリケーションを含んでいてもよい。様々な実施形態によれば、かかるソフトウェアアプリケーションは、サーバコンピュータ７２０上で実行され、溶接ツール４００のエアマウスデバイス４５０を用いてコンピュータ３００のディスプレイモニタ３２０上で（外部コンピュータネットワーク７１０を介して）作業者によって表示及び操作することができる画面を生成するよう構成される。
【００４４】
図８は、モノのインターネット（ＩｏＴ）８１０と対話するよう構成される溶接システムを有するネットワーク化されたシステムアーキテクチャ８００の一実施形態を示している。図８の溶接システムは、溶接機２００、コンピュータ３００、ディスプレイモニタ３２０（例えば、スピーカ付き）、及び無線エアマウスデバイス４５０を有する溶接トーチ４００を含んでいる。本明細書中で用いられるように、用語ＩｏＴは、製造又は訓練環境内のオブジェクトに埋め込まれたコンピューティングデバイスのインターネットを介した相互接続を指し、埋め込みコンピューティングデバイスがデータを（例えば、無線で）送受信することを可能にする。かかるネットワーク化されたシステムアーキテクチャ８００において、コンピュータ３００は、例えば、コンピュータ３００が図７において外部コンピュータネットワーク７１０と対話する方法と同様の方法で（ただし、例えば、無線方式で）、ＩｏＴと対話するよう構成される。図８における溶接トーチ４００は、本明細書中で先に説明したように、ディスプレイモニタ３２０上のコンピュータカーソルを動かし、オプションアイコンを選択するために作業者又は生徒８２０によって用いられる。図８における溶接機２００は、本明細書中で先に説明したようにコンピュータ３００と通信するよう（ただし、例えば、無線方式で）構成される。結果として、図８のシステムアーキテクチャ８００において、無線エアマウス４５０を備える溶接トーチ４００は、例えば、製造環境又は訓練環境において多くのデバイス及びオブジェクトと対話するために用いることができる。
【００４５】
開示する実施形態をかなり詳細に示し、説明してきたが、添付特許請求の範囲の適用範囲をかかる詳細に制限するか、又は、何らかの方法で限定することは、意図するものではない。無論、主題の様々な態様を説明するために、コンポーネント又は手法の想定できる組み合わせの全てを説明することは不可能である。従って、開示は、図示し、説明した特定の詳細又は例示する実施例に限定されるものではない。それ故に、本開示は、米国特許法第１０１条（３５Ｕ．Ｓ．Ｃ．§１０１）の法定主題要件を満足させる添付特許請求の範囲の適用範囲に入る変更、修正、及び変形例を包含することを目的としている。特定の実施形態の上記の説明は、一例として与えられている。与えた開示から、当業者は、一般的発明概念及び付随する利点を理解するだけでなく、開示した構造及び方法に対する明白な、様々な変更及び修正を見出すであろう。従って、添付特許請求の範囲及びその均等物によって定義されるように、一般的発明概念の精神及び適用範囲に入るような全てのかかる変更及び修正をカバーすることが求められている。
【符号の説明】
【００４６】
１００  溶接システム
２００  溶接機
２７４  母材部品
２９０  ユーザインターフェース
３００  コンピュータ
３２０  ディスプレイモニタ
３２２  コンピュータカーソル
３２５〜３２９  オプションアイコン
４００  溶接ツール
４１０  ハンドル
４２０  トリガアセンブリ
４３０  ネック
４４０  ノズル
４５０  エアマウスデバイス
４５２，４５４，４５６  選択インターフェース
４６０  導電アセンブリ
４７０  コンタクトチップ
７１０  外部コンピュータネットワーク
【図１】
2020131291.tif 000003
【図２】
2020131291.tif 000004
【図３】
2020131291.tif 000005
【図４】
2020131291.tif 000006
【図５】
2020131291.tif 000007
【図６】
2020131291.tif 000008
【図７】
2020131291.tif 000009
【図８】
2020131291.tif 000010
【外国語明細書】
2020131291000001.pdf